(57)【特許請求の範囲】
【請求項１】
マイクロウェーブにより紫外線発光する粒状発光体として発光波長の異なる２種類以上の粒状発光体を充填した紫外線発光層を有する反応槽と、
マイクロウェーブ発生手段と、
を備え、
前記紫外線発光層において、前記２種類以上の粒状発光体が、前記被処理液体の通液方向に対して層状に充填されており、
前記マイクロウェーブ発生手段により発生させたマイクロウェーブを前記粒状発光体に照射しながら、有機物と細菌類とを含む被処理液体を前記反応槽に通液させて、前記有機物の酸化分解処理とともに前記細菌類の殺菌処理を行うことを特徴とする液体処理装置。
【請求項２】
請求項１に記載の液体処理装置であって、
前記２種類以上の粒状発光体が、前記被処理液体の通液方向に対して、発光波長が短い波長から順次長い波長となるように層状に充填されていることを特徴とする液体処理装置。
【請求項３】
請求項１または２に記載の液体処理装置であって、
前記反応槽において、前記粒状発光体に対して前記被処理液体が外側を通る内照式、および、前記粒状発光体に対して前記被処理液体が内側を通る外照式のうち少なくとも１つが使用されていることを特徴とする液体処理装置。
【請求項４】
マイクロウェーブ発生手段により発生させたマイクロウェーブを、マイクロウェーブにより紫外線発光する粒状発光体として発光波長の異なる２種類以上の粒状発光体を充填した紫外線発光層を有する反応槽における前記粒状発光体に照射しながら、有機物と細菌類とを含む被処理液体を前記反応槽に通液させて、前記有機物の酸化分解処理とともに前記細菌類の殺菌処理を行う紫外線照射処理工程を含み、前記紫外線発光層において、前記２種類以上の粒状発光体が、前記被処理液体の通液方向に対して層状に充填されていることを特徴とする液体処理方法。
【請求項５】
請求項４に記載の液体処理方法であって、
前記２種類以上の粒状発光体が、前記被処理液体の通液方向に対して、発光波長が短い波長から順次長い波長となるように層状に充填されていることを特徴とする液体処理方法。
【請求項６】
請求項４または５に記載の液体処理方法であって、
前記反応槽において、前記粒状発光体に対して前記被処理液体が外側を通る内照式、および、前記粒状発光体に対して前記被処理液体が内側を通る外照式のうち少なくとも１つが使用されていることを特徴とする液体処理方法。
【発明の詳細な説明】
【技術分野】
【０００１】
本発明は、有機物と細菌類とを含む液体を処理する液体処理装置および液体処理方法に関する。
【背景技術】
【０００２】
有機物を含む液体の酸化分解処理を行う方法としては、通常、波長１８５ｎｍの紫外線（ＵＶ）を発生する紫外線ランプ等を用いた紫外線照射処理が行われる。一方、細菌類を含む液体の殺菌処理を行う方法としては、通常、波長２５４ｎｍの紫外線を発生する紫外線ランプ等を用いた紫外線照射処理が行われる。
【０００３】
被処理液体中に処理対象となる有機物と細菌類とが混在する場合、一般的な中圧水銀紫外線ランプを用いれば波長１８５ｎｍと２５４ｎｍの紫外線が同時に出力されるが、一つのランプで有機物の酸化に必要な１８５ｎｍ線量と細菌類の殺菌に必要な２５４ｎｍ線量とを過不足なく照射することは困難である。
【０００４】
一方、紫外線照射装置の一つとしてマイクロウェーブ紫外線発光装置が知られている。例えば、粒状の無電極紫外線発光体に外部から２．４５ＧＨｚ等のマイクロウェーブを照射して、紫外線発光させるものがある（例えば、特許文献１、非特許文献１参照）。このようなマイクロウェーブ紫外線発光装置において、粒状の無電極紫外線発光体を反応槽に充填して、そこに被処理液を通液させ、被処理液中の有機物の酸化や細菌類の殺菌を行う方法がある。
【０００５】
しかし、マイクロウェーブは水に吸収されやすいため、無電極紫外線発光体を発光させるために過剰に出力を与える必要があり、エネルギー的に損失が大きい。このことから有機物と細菌類の両方を所定の除去率で除去して所定の濃度とするためには、いずれかの対象に対しては過剰な線量となるような装置設計となり、消費電力等からみても非効率的である。
【先行技術文献】
【特許文献】
【０００６】
【特許文献１】特許第５０４９００４号公報
【非特許文献】
【０００７】
【非特許文献１】堀越  智、「光触媒コーティング無電極ランプによる被災地の汚染水浄化装置の開発に関する研究」、平成２６年３月、平成２５年度環境研究総合推進費補助金  研究事業  総合研究報告書
【発明の概要】
【発明が解決しようとする課題】
【０００８】
本発明の目的は、被処理液体中に有機物と細菌類とが混在する場合でも、有機物の酸化分解処理とともに細菌類の殺菌処理を効率的に行うことができる液体処理装置および液体処理方法を提供することにある。
【課題を解決するための手段】
【０００９】
本発明は、マイクロウェーブにより紫外線発光する粒状発光体として発光波長の異なる２種類以上の粒状発光体を充填した紫外線発光層を有する反応槽と、マイクロウェーブ発生手段と、を備え、前記紫外線発光層において、前記２種類以上の粒状発光体が、前記被処理液体の通液方向に対して層状に充填されており、前記マイクロウェーブ発生手段により発生させたマイクロウェーブを前記粒状発光体に照射しながら、有機物と細菌類とを含む被処理液体を前記反応槽に通液させて、前記有機物の酸化分解処理とともに前記細菌類の殺菌処理を行う液体処理装置である。
【００１１】
前記液体処理装置において、前記２種類以上の粒状発光体が、前記被処理液体の通液方向に対して、発光波長が短い波長から順次長い波長となるように層状に充填されていることが好ましい。
【００１２】
前記液体処理装置における前記反応槽において、前記粒状発光体に対して前記被処理液が外側を通る内照式、および、前記粒状発光体に対して前記被処理液が内側を通る外照式のうち少なくとも１つが使用されていることが好ましい。
【００１３】
また、本発明は、マイクロウェーブ発生手段により発生させたマイクロウェーブを、マイクロウェーブにより紫外線発光する粒状発光体として発光波長の異なる２種類以上の粒状発光体を充填した紫外線発光層を有する反応槽における前記粒状発光体に照射しながら、有機物と細菌類とを含む被処理液体を前記反応槽に通液させて、前記有機物の酸化分解処理とともに前記細菌類の殺菌処理を行う紫外線照射処理工程を含み、前記紫外線発光層において、前記２種類以上の粒状発光体が、前記被処理液体の通液方向に対して層状に充填されている、液体処理方法である。
【００１５】
前記液体処理装置において、前記２種類以上の粒状発光体が、前記被処理液体の通液方向に対して、発光波長が短い波長から順次長い波長となるように層状に充填されていることが好ましい。
【００１６】
前記液体処理装置における前記反応槽において、前記粒状発光体に対して前記被処理液が外側を通る内照式、および、前記粒状発光体に対して前記被処理液が内側を通る外照式のうち少なくとも１つが使用されていることが好ましい。
【発明の効果】
【００１７】
本発明によれば、被処理液体中に有機物と細菌類とが混在する場合でも、有機物の酸化分解処理とともに細菌類の殺菌処理を効率的に行うことができる液体処理装置および液体処理方法を提供することができる。
【図面の簡単な説明】
【００１８】
【図１】本発明の実施形態に係る液体処理装置の一例を示す概略構成図である。
【図２】本発明の実施形態に係る液体処理装置の他の例を示す概略構成図である。
【図３】比較例１で用いた液体処理装置を示す概略構成図である。
【発明を実施するための形態】
【００１９】
本発明の実施の形態について以下説明する。本実施形態は本発明を実施する一例であって、本発明は本実施形態に限定されるものではない。
【００２０】
本発明の実施形態に係る液体処理装置の一例の概略を図１に示し、その構成について説明する。
【００２１】
本実施形態に係る液体処理装置１は、マイクロウェーブにより紫外線発光する粒状発光体として発光波長の異なる２種類以上の粒状発光体を充填した紫外線発光層２２を有する反応槽１０と、マイクロウェーブ発生手段として、マイクロウェーブ発生装置１２とを備える。液体処理装置１は、被処理液を貯留するための被処理液槽や、処理液を貯留するための処理液槽を備えてもよい。
【００２２】
図１の液体処理装置１において、反応槽１０の入口１８には、被処理液配管１４が接続され、反応槽１０の出口２０には、処理液配管１６が接続されている。被処理液配管１４の一端は被処理液槽の出口に接続されてもよく、処理液配管１６の一端は処理液槽の入口に接続されてもよい。反応槽１０には、マイクロウェーブにより紫外線発光する粒状発光体として発光波長の異なる２種類以上の粒状発光体２４，２６が充填された紫外線発光層２２が形成されている。反応槽１０には、マイクロウェーブ発生手段としてマイクロウェーブ発生装置１２が、紫外線発光層２２の粒状発光体２４，２６にマイクロウェーブを照射できるように設置されている。
【００２３】
紫外線発光層２２において、例えば、図１に示すように、第１粒状発光体２４が充填された第１紫外線発光層２２ａと、第２粒状発光体２６が充填された第２紫外線発光層２２ｂとが被処理液体の通液方向に対して層状に充填されており、第１粒状発光体２４の発光波長と第２粒状発光体２６の発光波長が異なる。発光波長の異なる２種類以上の粒状発光体が被処理液体の通液方向に対して層状に充填されていることにより、処理対象物質に応じて適切な紫外線波長を適量照射することができる。図１の例では、２層の紫外線発光層が形成されているが、３層以上の紫外線発光層が形成されてもよい。１層の紫外線発光層２２中に、発光波長の異なる２種類以上の粒状発光体が所定の割合で混合されて充填されていてもよい。
【００２４】
本実施形態に係る液体処理方法および液体処理装置１の動作について説明する。
【００２５】
マイクロウェーブ発生装置１２を起動させて、発生させたマイクロウェーブを紫外線発光層２２の粒状発光体２４，２６に照射しながら、有機物と細菌類とを含む被処理液体が被処理液配管１４を通して、反応槽１０下部の入口１８から供給され、反応槽１０を上向流で通液される。これにより、紫外線発光層２２において、有機物の酸化分解処理とともに細菌類の殺菌処理が行われる（紫外線照射処理工程）。通液後の処理液は、反応槽１０上部の出口２０から処理液配管１６を通して排出される。処理液は、一部または全部が処理液槽に貯留されてもよい。
【００２６】
紫外線照射処理では、マイクロウェーブの照射により紫外線発光層２２の粒状発光体から発光された紫外線によって、主に、細菌類の殺菌処理および紫外線の光酸化による有機物等の酸化分解処理が行われる。例えば、図１に示すように、第１紫外線発光層２２ａの第１粒状発光体２４から波長１８５ｎｍの紫外線が発光され、有機物等の酸化分解処理が行われ、第２紫外線発光層２２ｂの第２粒状発光体２６から波長２５４ｎｍの紫外線が発光され、細菌類の殺菌処理が行われる。第１紫外線発光層２２ａの第１粒状発光体２４から波長２５４ｎｍの紫外線が発光され、細菌類の殺菌処理が行われ、第２紫外線発光層２２ｂの第２粒状発光体２６から波長１８５ｎｍの紫外線が発光され、有機物等の酸化分解処理が行われてもよい。
【００２７】
このように被処理液体を反応槽１０に通液する液体処理装置１において、反応槽１０内にマイクロウェーブにより紫外線発光する粒状発光体として発光波長の異なる２種類以上を充填し、紫外線による細菌類の殺菌処理および光酸化による有機物の酸化分解処理をともに行うようにした。これにより、被処理液体中に有機物と細菌類とが混在する場合でも、有機物の酸化分解処理とともに細菌類の殺菌処理を効率的に行うことができる。有機物の酸化に必要な１８５ｎｍ線量と細菌類の殺菌に必要な２５４ｎｍ線量とを過不足なく照射することが可能であり、有機物と細菌類の両方を所定の除去率で除去して所定の濃度とするために、いずれの対象に対しても適切な線量となるような装置設計を行えばよく、消費電力等からみても効率的である。また、有機物の酸化分解処理とともに細菌類の殺菌処理を行うことにより、液体処理装置の設置面積を低減することができる。
【００２８】
処理対象となる被処理液体は、有機物と細菌類とを含む液体であればよく、特に制限はない。液体としては、例えば、水や、糖液等が挙げられる。有機物としては、例えば、四塩化炭素、トリクロロエチレン、１，４−ジオキサン等が挙げられ、細菌類としては、例えば、大腸菌、レジオネラ菌、ブドウ球菌等が挙げられる。その他に、固形分として、例えば、懸濁物質等を含んでもよい。懸濁物質等の固形分を含んでいても、粒状発光体がろ材として機能することにより固形分の固液分離処理を行うことができる。
【００２９】
処理対象となる被処理液体の有機物濃度は、例えば０．０１ｍｇ／Ｌ以上１０ｍｇ／Ｌ以下、一般細菌数は、例えば、１０個／ｍＬ以上１００，０００個／ｍＬ以下、大腸菌数は、例えば、１ＣＦＵ／ｍＬ（ＣＦＵ＝Colony Forming Unit）以上１，０００ＣＦＵ／ｍＬ以下である。また、固形分を含む場合は、被処理液体の濁度は、例えば０．５度以上１０度以下である。
【００３０】
反応槽１０における被処理液体の通液方向は、通常は図１に示すような上向流であるが、下向流であってもよいし、横向流であってもよい。
【００３１】
本実施形態に係る液体処理方法および液体処理装置１において、２種類以上の粒状発光体が、被処理液体の通液方向に対して、発光波長が短い波長から順次長い波長となるように層状に充填されていることが好ましい。これにより、有機物の酸化分解処理と細菌類の殺菌処理を効率よく行うことができる。例えば、被処理液体の通液方向に対して、発光波長が短い波長から順次長い波長となるように粒状発光体が層状に充填され、第１紫外線発光層２２ａの第１粒状発光体２４から波長１８５ｎｍの紫外線が発光されて、有機物等の酸化分解処理が行われ、第２紫外線発光層２２ｂの第２粒状発光体２６から波長２５４ｎｍの紫外線が発光されて、細菌類の殺菌処理が行われることが好ましい。
【００３２】
反応槽１０において、粒状発光体に対して被処理液が外側を通る内照式、および、粒状発光体に対して被処理液が内側を通る外照式のうち少なくとも１つが使用されていることが好ましい。例えば、図１に示すように、第１粒状発光体２４に対して被処理液が外側を通る内照式の第１紫外線発光層２２ａにおいて第１粒状発光体２４から波長１８５ｎｍの紫外線が発光されて、有機物等の酸化分解処理が行われ、第１粒状発光体２４に対して被処理液が外側を通る内照式の第２紫外線発光層２２ｂにおいて第２粒状発光体２６から波長２５４ｎｍの紫外線が発光されて、細菌類の殺菌処理が行われる。
【００３３】
また、例えば、図２に示すように、第１粒状発光体２４に対して被処理液が外側を通る内照式の第１紫外線発光層２２ａにおいて第１粒状発光体２４から波長１８５ｎｍの紫外線が発光されて、有機物等の酸化分解処理が行われ、第１粒状発光体２４に対して被処理液が内側を通る外照式の第２紫外線発光層２２ｂにおいて第２粒状発光体２６から波長２５４ｎｍの紫外線が発光されて、細菌類の殺菌処理が行われる。
【００３４】
粒状発光体に対して被処理液が外側を通る内照式の場合、被処理液と粒状発光体との接触効率が高いため、処理効率が高いが、被処理液が粒状発光体の発光により加熱されやすい。粒状発光体に対して被処理液が内側を通る外照式の場合、被処理液が加熱されにくいが、被処理液と粒状発光体との接触効率が低いため、処理効率が低い。この両者を被処理液体の水質等により使い分けることにより、効率的な処理が可能となる。内照式と外照式を選択的にすることで、被処理液体の加熱の度合いを切り替えることができる。細菌類を優先的に処理したい場合は紫外線照射の他に加熱殺菌も有効であり、より迅速に殺菌処理することができる。例えば、紫外線照射とマイクロウェーブ加熱を併用して迅速に殺菌処理を行いたい場合等、被処理液体を加温したい場合は内照式が好ましい。有機物を優先的に処理して、より良いエネルギー効率を求め、加熱を抑制したい場合は外照式が好ましい。２層以上の紫外線発光層のそれぞれについて、被処理液体の性状等に応じて、内照式および外照式のいずれかを選択すればよい。
【００３５】
粒状発光体の発光波長は、処理対象となる有機物と細菌類の種類等に応じて、適宜選択すればよく、特に制限はない。有機物の酸化分解処理には、通常、波長１８５±０．１ｎｍや２２０±０．１ｎｍの紫外線を発生する粒状発光体が用いられ、細菌類の殺菌処理には、通常、波長２５４±０．７ｎｍや２６０±０．７ｎｍの紫外線を発生する粒状発光体が用いられる。
【００３６】
紫外線発光層２２において、発光波長の異なる２種類以上の粒状発光体の充填比率は、特に制限はなく、被処理液体の水質等に応じて、適宜変更すればよい。マイクロウェーブは水に吸収されやすいため、粒状発光体に過剰に出力を与える場合があり、エネルギー的に損失が大きい。発光波長の異なる２種類以上の粒状発光体を用い、その充填比率を適宜変更することにより、有機物、細菌類の両方を所定の除去率あるいは所定の処理液濃度とするために、いずれの対象に対しても適切な線量とすることができ、消費電力からみても効率的である。
【００３７】
マイクロウェーブ発生装置１２は、マイクロウェーブ（周波数：２．４５ＧＨｚ±０．０１ＧＨｚ）を発生することができるものであればよく、その構成は特に制限はない。例えば、真空管を用いるマグネトロン方式の他に、半導体を用いるソリッドステート方式等が挙げられる。マグネトロン方式の発振器は、家庭用から業務用の電子レンジに幅広く用いられており比較的安価に入手できる利点があり、ソリッドステート方式の発振器は、寿命が比較的長く、波長の安定性が良好である等の利点がある。
【００３８】
マイクロウェーブ発生装置１２の構成例として、例えば、図１に示すように、電源装置２８と、マイクロウェーブ発振器３０と、導波管３２と、スリースタブチューナ３４と、短絡器３６とを備える構成が挙げられる。
【００３９】
例えば、電源装置２８から供給された電源により、マイクロウェーブ発振器３０が発生したマイクロウェーブが、導波管３２を通り、紫外線発光層２２の粒状発光体２４，２６に照射される。スリースタブチューナ３４により、導波管３２におけるインピーダンス整合を調整することができる。
【００４０】
マイクロウェーブの照射は、紫外線発光層２２のある１方向から行ってもよいし、２方向以上の複数方向から行ってもよい。反応槽１０の径が大きくなると（例えば、３０ｃｍ以上）、マイクロウェーブが中心部まで到達しない場合があるので、紫外線発光層２２に対して２方向以上の複数方向から照射を行うことが好ましい。
【００４１】
紫外線発光層２２の粒状発光体は、マイクロウェーブにより紫外線発光するものであればよく、特に制限はない。粒状発光体としては、例えば、石英製やテフロン（登録商標）樹脂製であって、球形状や、円筒の両端を球状にしたカプセル形状等の容器に、水銀ガス、水素ガス、キセノンガス、窒素ガス、アルゴンガス、ヘリウムガス、塩素ガス、重水素ガス等の、マイクロウェーブにより紫外線発光する放電ガスを所定の封入圧で封入した無電極紫外線発光カプセル等が挙げられる。放電ガスを封入した無電極紫外線発光カプセルに、マイクロウェーブを照射することにより、ガスが励起され、紫外線を発光する。放電ガスや封入圧を適宜選択することにより、発光波長を調整することができる。また、カプセルの比重を調整するために、このカプセルの両端または一端に、カプセルと同様の材料で形成した中空または中実の突起状の比重調整部を設けてもよい。
【００４２】
粒状発光体が球形状の場合、最大径は、例えば、１．０ｍｍ〜１０ｍｍの範囲であり、２．０ｍｍ〜４．０ｍｍの範囲であることが好ましい。粒状発光体が円筒の両端を球状にしたカプセル形状の場合、径は、例えば、１．０ｍｍ〜１０ｍｍの範囲であり、２．０ｍｍ〜４．０ｍｍの範囲であることが好ましく、高さは、例えば、２．０ｍｍ〜２０ｍｍの範囲であり、４．０ｍｍ〜８．０ｍｍの範囲であることが好ましい。
【００４３】
比重調整部の径は、例えば、１．０ｍｍ〜１０ｍｍの範囲であり、２．０ｍｍ〜４．０ｍｍの範囲であることが好ましく、高さは、例えば、２．０ｍｍ〜２０ｍｍの範囲であり、４．０ｍｍ〜１０ｍｍの範囲であることが好ましい。
【００４４】
本実施形態に係る液体処理方法および液体処理装置は、浄水処理、下水処理、工業用水処理、排水処理等における紫外線による有機物の酸化分解処理と細菌類の殺菌処理とをともに行う場合に適用することができ、特に、浄水処理に好適に適用することができる。
【００４５】
本実施形態に係る液体処理方法および液体処理装置により、例えば有機物濃度で０．０１ｍｇ／Ｌ以上、細菌数で１０個／ｍＬ以上、大腸菌数で１ＣＦＵ／ｍＬ以上の被処理液体の水質を、例えば有機物濃度で０．０５ｍｇ／Ｌ以下、細菌数で１個／ｍＬ未満、大腸菌数で１ＣＦＵ／ｍＬ未満（不検出）の処理液とすることができる。また、固形分を含む場合は、例えば濁度で１．５度以上の被処理液体の水質を、例えば濁度で０．１度以下の処理液とすることができる。
【実施例】
【００４６】
以下、実施例および比較例を挙げ、本発明をより具体的に詳細に説明するが、本発明は、以下の実施例に限定されるものではない。
【００４７】
＜実施例１，２および比較例１＞
実施例１では、図１に示す方式および層構成（第１粒状発光体２４が充填された第１紫外線発光層２２ａ、第２粒状発光体２６が充填された第２紫外線発光層２２ｂともに内照式）で、実施例２では、図２に示す方式および層構成（第１粒状発光体２４が充填された第１紫外線発光層２２ａは内照式、第２粒状発光体２６が充填された第２紫外線発光層２２ｂは外照式）で、比較例１では図３に示す方式および層構成（反応槽４０において１種類の粒状発光体４４が充填された紫外線発光層４２は内照式）で、有機物として１，４−ジオキサンを含む被処理液の処理を行った。
【００４８】
以下の装置仕様、通水条件で試験を行った。
［反応槽］
・反応槽本体：５００ｍＬ、材質  石英ガラス製
・通水条件：上向流、流量５００ｍＬ／ｍｉｎで通水
・紫外線発光層構成：
（比較例１）
反応槽に紫外線発光粒状発光体１を５００ｍＬ充填
（実施例１）
反応槽の下部（入口側）に紫外線発光粒状発光体１を２５０ｍＬ、上部（出口側）に紫外線発光粒状発光体２を２５０ｍＬ充填
紫外線発光粒状発光体１、紫外線発光粒状発光体２ともに内照式で照射
（実施例２）
反応槽の下部（入口側）に紫外線発光粒状発光体１を２５０ｍＬ、上部（出口側）に紫外線発光粒状発光体２を２５０ｍＬ充填
紫外線発光粒状発光体１は内照式で照射、紫外線発光粒状発光体２は外照式で照射
【００４９】
［紫外線発光粒状発光体１（無電極紫外線発光カプセル）の詳細］
・サイズ：ガス封入部  径（φ）５ｍｍ×高さ（Ｌ）１０ｍｍ
・材質：石英
・封入ガス：水銀ガス、封入圧力５０，０００Ｐａ
・ピーク波長：１８５ｎｍ
【００５０】
［紫外線発光粒状発光体２（無電極紫外線発光カプセル）の詳細］
・サイズ：ガス封入部  径（φ）５ｍｍ×高さ（Ｌ）１０ｍｍ
・材質：石英
・封入ガス：水銀ガス、封入圧力１０Ｐａ
・ピーク波長：２５４ｎｍ
【００５１】
［マイクロウェーブ発生装置］
・電源装置：３００Ｗ（３０〜３００Ｗ可変式）  投入電力２００Ｗ
・マイクロウェーブ発振器：マグネトロン
・周波数：２．４５ＧＨｚ
・導波管：Ｌ４００ｍｍ×Ｗ２００ｍｍ×Ｈ３００ｍｍ、アルミニウム製
・チューナー：スリースタブ方式
【００５２】
マイクロウェーブ発生装置の電源装置の投入電力を、２００Ｗに設定した。被処理液と処理液の水質（１，４−ジオキサン濃度、大腸菌数、一般細菌数）を表１に示す。１，４−ジオキサン濃度は、固相抽出−ガスクロマトグラフ−質量分析法（スチレンジビニルベンゼン共重合体および活性炭固相カラムを用いて濃縮および抽出し、ガスクロマトグラフ−質量分析計（ＧＣ：ＨＰ６８９０  ＨＥＷＬＥＴＴ  ＰＡＣＫＡＲＤ製、ＭＳ：５９７３Ｎｅｔｗｏｒｋ  Ａｇｉｌｅｎｔ製）で測定）で測定した。大腸菌数は、特定酵素基質培地法（ピルビン酸添加ＸＧａｌ−ＭＵＧ培地（日水製薬製）を用いて３６±１℃で、２６±１時間培養した後、紫外線ランプにより波長３６６ｎｍの紫外線を照射し、蛍光の有無および比色液と比較）で測定した。一般細菌数は、標準寒天培地法（標準寒天培地（栄研化学製）を用いて３６±１℃で２４±２時間培養し、コロニー数を測定）で測定した。
【００５３】
【表１】
0006630624.tif 000002
【００５４】
比較例１では、処理液に一般細菌が２０個／ｍＬ残留した。実施例１および実施例２では、処理液中の１，４−ジオキサン濃度、大腸菌数、一般細菌数に差はほとんどなかったが、紫外線発光粒状発光体１と紫外線発光粒状発光体２が内照式の実施例１の処理液温度が２２．３℃に対して、紫外線発光粒状発光体１が内照式で、紫外線発光粒状発光体２が外照式の実施例２の処理液温度は２１．２℃と低くなっていた。紫外線照射とマイクロウェーブ加熱を併用して迅速に殺菌処理を行いたい場合等、被処理液体を加温したい場合は実施例１の方法が好ましく、有機物を優先的に処理して、より良いエネルギー効率を求め、加温を抑制したい場合は実施例２の方法が好ましい。
【００５５】
実施例の液体処理方法により、被処理液体中に有機物と細菌類とが混在する場合でも、有機物の酸化分解処理とともに細菌類の殺菌処理を効率的に行うことができた。一つの反応槽で紫外線による有機物の酸化分解処理と細菌類の殺菌処理を効率的に行えるようなった。また、液体処理装置の設置面積と消費電力量を低減できた。必要に応じて、被処理液体を任意で加温することも可能になった。
【符号の説明】
【００５６】
１，３  液体処理装置、１０，４０  反応槽、１２  マイクロウェーブ発生装置、１４  被処理液配管、１６  処理液配管、１８  入口、２０  出口、２２，４２  紫外線発光層、２２ａ  第１紫外線発光層、２２ｂ  第２紫外線発光層、２４  粒状発光体（第１粒状発光体）、２６  粒状発光体（第２粒状発光体）、２８  電源装置、３０  マイクロウェーブ発振器、３２  導波管、３４  スリースタブチューナ、３６  短絡器、４４  粒状発光体。
【図１】
0006630624.tif 000003
【図２】
0006630624.tif 000004
【図３】
0006630624.tif 000005